(57)【特許請求の範囲】
【請求項１】
基地局と基地局コントローラとの間で、呼び出しリンク品質統計情報を伝送するためのメッセージを予め設定し、
前記基地局が、現在の呼び出しがローカルスイッチングモードへ移行することを検出した場合、検出された前記現在の呼び出しについての呼び出しリンク品質統計情報を、前記予め設定されたメッセージを介して、前記基地局コントローラに報告し、
前記基地局コントローラが、受信された前記予め設定されたメッセージを解析し、解析により取得された前記現在の呼び出しについての呼び出しリンク品質統計情報を報告する
呼び出しリンク品質統計情報の報告方法。
【請求項２】
前記方法は、さらに、
前記基地局が、前記予め設定されたメッセージ内に含められる、検出された前記現在の呼び出しについての呼び出しリンク品質統計情報をエンコードする
請求項１に記載の方法。
【請求項３】
前記予め設定されたメッセージは、拡張された測定結果メッセージである
請求項１又は２に記載の方法。
【請求項４】
前記拡張された測定結果メッセージの拡張情報ユニットは、リンク測定情報ユニットである
請求項３に記載の方法。
【請求項５】
前記リンク測定情報ユニットは、リンク品質フィールド、時間遅延値フィールド、リンクサービス品質フィールドを含む
請求項４に記載の方法。
【請求項６】
現在の呼び出しがローカルスイッチングモードへ移行することを検出した場合、検出された前記現在の呼び出しについての呼び出しリンク品質統計情報を、予め設定されたメッセージを介して、基地局コントローラに報告する基地局と、
受信された前記予め設定されたメッセージを解析し、解析により取得された前記呼び出しリンク品質統計情報を報告する基地局コントローラと
を含み、
前記予め設定されたメッセージは、基地局と基地局コントローラとの間で、呼び出しリンク品質統計情報を伝送するためのメッセージである
呼び出しリンク品質統計情報の報告システム。
【請求項７】
前記基地局は、
前記呼び出しリンク品質統計情報を検出するリンク検出モジュールと、
前記リンク検出モジュールによって検出された前記呼び出しリンク品質統計情報を、エンコードモジュールに送信するスイッチモジュールと、
前記予め設定されたメッセージ内に含められる、受信された前記呼び出しリンク品質統計情報をエンコードし、前記予め設定されたメッセージを前記基地局コントローラに送信するエンコードモジュールと
を含む請求項６に記載のシステム。
【請求項８】
前記基地局コントローラは、
受信された前記予め設定されたメッセージを解析し、解析により取得された前記呼び出しリンク品質統計情報を、報告モジュールに送信するデコードモジュールと、
受信された前記呼び出しリンク品質統計情報を報告する報告モジュールと
を含む請求項６又は７に記載のシステム。
【請求項９】
前記基地局は、さらに、検出された呼び出しリンク品質統計情報を前記基地局コントローラに送信し、
スイッチモジュールは、リンク検出モジュールによって検出された前記呼び出しリンク品質統計情報を、リアルタイム転送制御プロトコルリンクを介して、前記報告モジュールに送信する
請求項８に記載のシステム。
【発明の詳細な説明】
【技術分野】
【０００１】
本発明は、呼び出しリンク品質統計情報の報告技術に関し、特に、呼び出しリンク品質統計情報の報告方法及びシステムに関する。
【背景技術】
【０００２】
現在、多くの通信システムは、従来型のスイッチング機能だけではなく、ローカルスイッチング機能も備えており、一定の条件を満たす場合、通信システムは、２つのモード（従来型のスイッチングモード、ローカルスイッチングモード）間において切り換え可能とされている。
【０００３】
従来型のスイッチングとは、図１に示すように、発呼基地局と被呼基地局との間のスイッチングが、コアネットワークを経由して行われるモードである。このようなモードにおいて、基地局コントローラは、ユーザプレーンにより要求されるリアルタイム転送プロトコル（ＲＴＰ：Ｒｅａｌ  Ｔｉｍｅ  Ｔｒａｎｓｐｏｒｔ  Ｐｒｏｔｏｃｏｌ）リンクを、制御プレーンを介して割り当ててアクティブ化し、通信を行う。この間、ＲＴＰリンク品質統計情報は、リアルタイム転送制御プロトコル（ＲＴＣＰ：Ｒｅａｌｔｉｍｅ  Ｔｒａｎｓｐｏｒｔ  Ｃｏｎｔｒｏｌ  Ｐｒｏｔｏｃｏｌ）リンクを介して、基地局コントローラに送信される。ＲＴＣＰリンクとＲＴＰリンクとは、インターネットプロトコル（ＩＰ：Ｉｎｔｅｒｎｅｔ  Ｐｒｏｔｏｃｏｌ）アドレスが同じであるが、ポートが異なる。即ち、従来型スイッチングモードにおいて、電話を利用する場合、制御プレーン及びユーザプレーンの音声が、いずれも基地局コントローラとコアネットワークを経由する。ＲＴＣＰリンクとＲＴＰリンクとは、１対１の関係で対応しており（つまり、１つのＲＴＣＰリンクが１つのＲＴＰリンクに対応する）、対応するＲＴＰリンクの品質統計情報が基地局コントローラに伝送される。ＲＴＰリンクの品質統計情報は、所定の時間間隔ごとに、ＲＴＣＰリンクに通知され、ＲＴＣＰリンクにより基地局コントローラに報告される。基地局コントローラは、受信されたリンク品質統計情報に応じて、ユーザプレーンのリンク状況を認識してリアルタイムで処理し、同時に、ＲＴＰリンク状況を報告する。
【０００４】
この場合、制御プレーンにおいて、基地局は、測定結果メッセージを基地局コントローラに周期的に報告する。前記メッセージには、主に無線リンクの品質、レベル等の状況が含まれる。
【０００５】
図２は、従来型スイッチングモードからローカルスイッチングモードへ呼び出しが移行される場合の、メッセージのフローチャートである。このフローチャートは、以下のステップを含む。
【０００６】
Ｓ２０１：従来型スイッチングモードにおいて、ＲＴＰリンクが既に確立されており、呼び出しが実行中になる。
【０００７】
Ｓ２０２：基地局コントローラは、ローカルスイッチングモードへ移行することを決定する。
【０００８】
Ｓ２０３：基地局コントローラは、新チャネルの確立メッセージを基地局１と基地局２とにそれぞれ送信して、新たなＲＴＰリンクを確立することを基地局に通知する。
【０００９】
ここで、基地局１に送信される新チャネル確立メッセージには、ローカルスイッチング識別子、基地局２のＩＰアドレス及びポート番号が含まれ、基地局２に送信される新チャネル確立メッセージには、ローカルスイッチング識別子、基地局１のＩＰアドレス及びポート番号が含まれる。前記ローカルスイッチング識別子は、今回新たにチャンネルを確立するのは、ローカルスイッチングを実行するためであることを示すために用いられる。
【００１０】
Ｓ２０４：基地局１、基地局２は、新チャネル確立メッセージから新ＲＴＰリンク確立情報を取得した後、ＲＴＰリンク確立を行い、且つスイッチングモード識別子をローカルスイッチングとして記録する。
【００１１】
Ｓ２０５：基地局１、基地局２は、ＲＴＰ確立成功メッセージを基地局コントローラに報告する。
【００１２】
Ｓ２０６：基地局コントローラは、基地局１及び基地局２のＲＴＰリンクの相互通信を確保した後、旧チャネル（即ち、元々使用されていたＲＴＰリンク）の解放メッセージを基地局１、基地局２に送信する。
【００１３】
Ｓ２０７：基地局１、基地局２は、旧チャネル解放メッセージを受信した後、旧チャネルの解放を行い、旧チャネルの解放の完了後に、解放完了メッセージを基地局コントローラに報告する。
【００１４】
Ｓ２０８：基地局１、基地局２は、スイッチング完了識別子を"完了"として記録する。
【００１５】
Ｓ２０９：現在の呼び出しが、ローカルスイッチングモードにおいて行われる。
【００１６】
図３は、ローカルスイッチングモードから従来型スイッチングモードへ呼び出しが移行される場合の、メッセージのフローチャートである。このフローチャートは、以下のステップを含む。
【００１７】
Ｓ３０１：ローカルスイッチングモードにおいて、ＲＴＰリンクが既に確立されており、呼び出しが実行中になる。
【００１８】
Ｓ３０２：基地局コントローラは、従来型スイッチングモードへ移行することを決定する。
【００１９】
Ｓ３０３：基地局コントローラは、新チャネルの確立メッセージを基地局１と基地局２とにそれぞれ送信して、新たなＲＴＰリンクを確立することを基地局に通知する。
【００２０】
ここで、基地局１に送信される新チャネル確立メッセージには、従来型スイッチング識別子、基地局コントローラのＩＰアドレス及びポート番号が含まれ、基地局２に送信される新チャネル確立メッセージには、従来型スイッチング識別子、基地局コントローラのＩＰアドレス及びポート番号が含まれる。前記従来型スイッチング識別子は、今回新たにチャンネルを確立するのは、従来型スイッチングを行うためであることを示すために用いられる。
【００２１】
Ｓ３０４：基地局１、基地局２は、新チャネル確立メッセージから新ＲＴＰリンク確立情報を取得した後、ＲＴＰリンクの確立を行い、スイッチングモード識別子を従来型スイッチングとして記録する。
【００２２】
Ｓ３０５：基地局１、基地局２は、ＲＴＰ確立成功メッセージを基地局コントローラに報告する。
【００２３】
Ｓ３０６：基地局コントローラは、基地局１及び基地局２のＲＴＰリンクの相互通信を確保した後、旧チャネル（即ち、元々使用されていたＲＴＰリンク）の解放メッセージを基地局１、基地局２に送信する。
【００２４】
Ｓ３０７：基地局１、基地局２は、旧チャネル解放メッセージを受信した後、旧チャネルの解放を行い、旧チャネルの解放を完了の後、解放完了メッセージを基地局コントローラに報告する。
【００２５】
Ｓ３０８：基地局１、基地局２は、スイッチング完了識別子を"完了"として記録する。
【００２６】
Ｓ３０９：現在の呼び出しは、従来型スイッチングモードにおいて行われる。
【００２７】
ローカルスイッチングとは、図４に示すように、発呼者と被呼者とが一定の条件を満たす場合、発呼者及び被呼者間の呼び出しが、コアネットワークを経由せず、発呼基地局と被呼基地局との間で直接的に行われるモードである。このモードのメリットは、以下のような点にある。コアネットワークリソースの占有が低減され、また、音声の伝送時間遅延が短縮される。また、Ａｂｉｓインターフェース等の利用帯域幅が節約され、通信事業者及びユーザに利便性がもたらされる。ローカルスイッチングの一番の特徴は、ローカルスイッチングが行われるとき、ユーザプレーンデータが、コアネットワークを経由せずに、直接的に基地局間で伝送される点にある。なお、呼び出し中の制御プレーンプロセスは変更されない。図２から理解されるように、このモードでは、音声が送られるＲＴＰリンクが、既に基地局間で再確立されており、また、基地局と基地局コントローラとの間の元のＲＴＰリンクが既に削除されている。これにより、ＲＴＣＰリンクを経由して伝送されるリンク品質統計情報は、これに対応して、相手側の基地局に送信される。相手側の基地局は、受信されたメッセージ（リンク品質統計情報）を必要とせず、且つ受信されたメッセージ（リンク品質統計情報）を処理することもできない。一方、基地局コントローラは、リンク品質統計情報を必要とするが、基地局と基地局コントローラとの間のリンクが既に解放されているため、リンク品質統計情報を受信することができない。従って、基地局コントローラ及びスタッフがユーザプレーンに対して制御不能となってしまうことを防止するために、ローカルスイッチングモードにおいて、どのようにして、呼び出しリンク品質統計情報を基地局コントローラに送信するかが、１つの重要な課題となる。
【発明の概要】
【発明が解決しようとする課題】
【００２８】
ローカルスイッチングモードにおいて、呼び出しリンク品質統計情報を基地局コントローラに伝送することができないといった従来技術における課題を解決するために、本発明は、呼び出しリンク品質統計情報の報告方法、報告システム、基地局及び基地局コントローラを提供することを目的とする。本発明によれば、ローカルスイッチングを行うときに、基地局コントローラが呼び出しリンク品質をリアルタイムで把握することができ、これにより、正確な品質判定のための基礎が提供される。
【課題を解決するための手段】
【００２９】
本発明は、呼び出しリンク品質統計情報の報告方法を提供する。
この方法は、基地局と基地局コントローラとの間で、呼び出しリンク品質統計情報を伝送するためのメッセージを予め設定し、前記基地局が、現在の呼び出しがローカルスイッチングモードへ移行することを検出した場合、検出された前記現在の呼び出しについての呼び出しリンク品質統計情報を、前記予め設定されたメッセージを介して、前記基地局コントローラに報告し、前記基地局コントローラが、受信された前記予め設定されたメッセージを解析し、解析により取得された前記現在の呼び出しについての呼び出しリンク品質統計情報を報告する。
【００３０】
好ましくは、前記方法において、さらに、前記基地局が、前記予め設定されたメッセージ内に含められる、検出された前記現在の呼び出しについての呼び出しリンク品質統計情報をエンコードしてもよい。
【００３１】
好ましくは、前記予め設定されたメッセージは、拡張された測定結果メッセージであってもよい。
【００３２】
好ましくは、前記拡張された測定結果メッセージの拡張情報ユニットは、リンク測定情報ユニットであってもよい。
【００３３】
好ましくは、前記リンク測定情報ユニットは、リンク品質フィールド、時間遅延値フィールド、リンクサービス品質フィールドを含んでいてもよい。
【００３４】
本発明は、呼び出しリンク品質統計情報の報告システムを提供する。この報告システムは、基地局と、基地局コントローラとを含む。
前記基地局は、予め設定されたメッセージ内に含められる、検出された呼び出しリンク品質統計情報をエンコードし、前記メッセージを基地局コントローラに送信する。
前記基地局コントローラは、受信された前記予め設定されたメッセージを解析し、解析により取得された前記呼び出しリンク品質統計情報を報告する。
【００３５】
好ましくは、前記基地局は、リンク検出モジュールと、スイッチモジュールと、エンコードモジュールとを含んでいていてもよい。
前記リンク検出モジュールは、前記呼び出しリンク品質統計情報を検出する。
前記スイッチングモジュールは、前記リンク検出モジュールによって検出された前記呼び出しリンク品質統計情報を、エンコードモジュールに送信する。
前記エンコードモジュールは、前記予め設定されたメッセージ内に含められる、受信された前記呼び出しリンク品質統計情報をエンコードし、前記予め設定されたメッセージを前記基地局コントローラに送信する。
【００３６】
好ましくは、前記基地局コントローラは、デコードモジュールと、報告モジュールとを含んでいてもよい。
前記デコードモジュールは、受信された前記予め設定されたメッセージを解析し、解析により取得された前記呼び出しリンク品質統計情報を、報告モジュールに送信する。
前記報告モジュールは、受信された前記呼び出しリンク品質統計情報を報告する。
【００３７】
好ましくは、前記基地局は、さらに、検出された呼び出しリンク品質統計情報を前記基地局コントローラに送信してもよい。
前記スイッチモジュールは、さらに、前記リンク検出モジュールによって検出された前記呼び出しリンク品質統計情報を、リアルタイム転送制御プロトコルリンクを介して、前記報告モジュールに送信する。
【００３８】
本発明は、基地局をさらに提供する。この基地局は、予め設定されたメッセージ内に含められる、検出された呼び出しリンク品質統計情報をエンコードし、前記予め設定されたメッセージを送信する。
【００３９】
本発明は、基地局コントローラをさらに提供する。この基地局コントローラは、受信された予め設定されたメッセージを解析し、解析により取得された呼び出しリンク品質統計情報を報告する。
【発明の効果】
【００４０】
本発明は、グローバル移動通信システム（ＧＳＭ（登録商標）：Ｇｌｏｂａｌ  Ｓｙｓｔｅｍ  ｆｏｒ  Ｍｏｂｉｌｅ  Ｃｏｍｍｕｎｉｃａｔｉｏｎｓ）０８５８プロトコルにおける既存の測定結果メッセージを拡張することで、ローカルスイッチングモードにおいて、呼び出しリンク品質統計情報を基地局コントローラに報告することができる。基地局コントローラ及びスタッフは、ローカルスイッチングモードにおけるユーザプレーンのリンク品質状況をリアルタイムで把握することができるようになる。これにより、リアルタイムでの品質判定が可能となり、基地局コントローラ及びスタッフは、２種類のスイッチングモードにおいて、連続的に呼び出しリンク品質を観察することができる。
【図面の簡単な説明】
【００４１】
【図１】従来において、従来型のスイッチングモードにおける呼び出しリンク品質統計情報のプロセスを示す図である。
【図２】従来において、従来型のスイッチングモードからローカルスイッチングモードに呼び出しが移行される場合の、メッセージのフローチャートである。
【図３】従来において、ローカルスイッチングモードから従来型のスイッチングモードに呼び出しが移行される場合の、メッセージのフローチャートである。
【図４】従来において、ローカルスイッチングモードにおける呼び出しリンク品質統計情報のプロセスを示す図である。
【図５】本発明に係る方法の第１実施形態のフローチャートである。
【図６】本発明に係る拡張された測定結果メッセージにおけるリンク測定情報ユニットの第１実施形態の内容を示す図である。
【図７】本発明に係るシステムの第１実施形態のブロック図である。
【図８】本発明に係るシステムの第２実施形態のブロック図である。
【図９】図８に示すシステムが従来型のスイッチングモードからローカルスイッチングモードに移行した後の呼び出しリンク品質統計情報のプロセスを示す図である。
【図１０】図８に示すシステムがローカルスイッチングモードから従来型のスイッチングモードに移行した後の呼び出しリンク品質統計情報のプロセスを示す図である。
【発明を実施するための形態】
【００４２】
本発明に係る目的の実現、機能的特徴及び利点は、図面を参照して実施形態とともに、更に説明される。
【００４３】
従来技術において、基地局は、従来型のスイッチングモードにおいて、ＲＴＣＰリンクを介して呼び出しリンク品質統計情報を基地局コントローラに送信する。しかしながら、基地局は、ローカルスイッチングモードにおいて、呼び出しリンク品質統計情報を基地局コントローラに送信することができない。従って、基地局コントローラは、リンク品質を連続的に把握することが不可能となる。本発明が解決しようとする課題は、即ち、ローカルスイッチングモードへ移行された後、基地局がどのようにして、呼び出しリンク品質統計情報を基地局コントローラに送信するかということである。図１及び図４から理解されるように、従来型のスイッチングモードであっても、ローカルスイッチングモードであっても、アップ・ダウンサービスリンク品質統計情報（品質及びレベル等）は、制御プレーンにおいて、測定結果メッセージ（ＧＳＭ０８５８プロトコルで定義されたメッセージ）を定期的に報告するコアネットワークを介して、基地局コントローラに伝送される。そこで、本発明では、ローカルスイッチングモードにおいて、前記測定結果メッセージを利用して呼び出しリンク品質統計情報を基地局コントローラに伝送することとしている。しかしながら、前記測定結果メッセージの既存の情報ユニットは、すべて使用されている。従って、まず、前記測定結果メッセージを拡張する必要があり、次に、基地局と基地局コントローラとの間で呼び出しリンク品質統計情報を伝送することに用いられる拡張された測定結果メッセージを設定する必要がある。
【００４４】
本発明に係る方法は、基地局と基地局コントローラとの間で、呼び出しリンク品質統計情報を伝送するためのメッセージを予め設定し、前記基地局が、現在の呼び出しがローカルスイッチングモードへ移行することを検出した場合、検出された前記現在の呼び出しについての呼び出しリンク品質統計情報を、前記予め設定されたメッセージを介して、前記基地局コントローラに報告し、前記基地局コントローラが、受信された前記予め設定されたメッセージを解析し、解析により取得された前記現在の呼び出しについての呼び出しリンク品質統計情報を報告する。
【００４５】
前記方法において、さらに、前記基地局は、前記予め設定されたメッセージ内に含められる、検出された前記現在の呼び出しについての呼び出しリンク品質統計情報をエンコードする。前記予め設定されたメッセージは、拡張された測定結果メッセージである。前記拡張された測定結果メッセージの拡張情報ユニットは、リンク測定情報ユニットである。前記リンク測定情報ユニットは、リンク品質フィールド、時間遅延値フィールド、ＱｏＳ（Ｑｕａｌｉｔｙ  ｏｆ  Ｓｅｒｖｉｃｅ）フィールドを含む。
【００４６】
前記方法を実現するための本発明に係るシステムは、基地局と、基地局コントローラとを含む。基地局は、予め設定されたメッセージ内に含められる、検出された呼び出しリンク品質統計情報をエンコードし、前記メッセージを基地局コントローラに送信する。基地局コントローラは、受信された前記予め設定されたメッセージを解析し、解析により取得された前記呼び出しリンク品質統計情報を報告する。
【００４７】
前記基地局は、リンク検出モジュールと、スイッチモジュールと、エンコードモジュールとを含む。前記リンク検出モジュールは、前記呼び出しリンク品質統計情報を検出する。前記スイッチングモジュールは、前記リンク検出モジュールによって検出された前記呼び出しリンク品質統計情報を、エンコードモジュールに送信する。前記エンコードモジュールは、前記予め設定されたメッセージ内に含められる、受信された前記呼び出しリンク品質統計情報をエンコードし、前記予め設定されたメッセージを前記基地局コントローラに送信する。
【００４８】
前記基地局コントローラは、デコードモジュールと、報告モジュールとを含む。前記デコードモジュールは、受信された前記予め設定されたメッセージを解析し、解析により取得された前記呼び出しリンク品質統計情報を、報告モジュールに送信する。前記報告モジュールは、受信された前記呼び出しリンク品質統計情報を報告する。
【００４９】
前記基地局は、さらに、検出された呼び出しリンク品質統計情報を前記基地局コントローラに送信する。前記スイッチモジュールは、さらに、前記リンク検出モジュールによって検出された前記呼び出しリンク品質統計情報を、リアルタイム転送制御プロトコルリンクを介して、前記報告モジュールに送信する。
【００５０】
本発明に係る基地局は、予め設定されたメッセージ内に含められる、検出された呼び出しリンク品質統計情報をエンコードし、前記予め設定されたメッセージを送信する。
【００５１】
本発明に係る基地局コントローラは、受信された予め設定されたメッセージを解析し、解析により取得された呼び出しリンク品質統計情報を報告する。
【００５２】
以下、本発明の好ましい実施形態について説明する。
【００５３】
図５は、本発明に係る方法の第１実施形態のフローチャートである。この方法は、以下のステップを含む。
【００５４】
Ｓ５０１：基地局と基地局コントローラとの間で、呼び出しリンク品質統計情報を伝送するための拡張された測定結果メッセージを予め設定する。
【００５５】
拡張された測定結果メッセージの拡張情報ユニットは、リンク測定情報ユニットであり、このユニットは、呼び出しリンク品質統計情報を搬送することに用いられる。
【００５６】
Ｓ５０２：基地局は、モニタリングにより、現在の呼び出しがローカルスイッチングモードへ移行することを検出する。
【００５７】
現在の呼び出しがローカルスイッチングモードへ移行する条件は、スイッチングモード識別子がローカルスイッチングであることと、スイッチング完了識別子が"完了"とされていることである。即ち、記録されたスイッチングモード識別子がローカルスイッチングであり、且つスイッチング完了識別子が"完了"である場合、基地局は、現在の呼び出しがローカルスイッチングモードへ移行すると認識する。
【００５８】
Ｓ５０３：前記拡張された測定結果メッセージに含められる、検出された前記現在の呼び出しについての呼び出しリンク品質統計情報をエンコードする。
【００５９】
Ｓ５０４：前記拡張された測定結果メッセージを基地局コントローラに報告する。
【００６０】
Ｓ５０５：前記基地局コントローラは、受信された前記拡張された測定結果メッセージを解析する。
【００６１】
Ｓ５０６：解析により取得された前記現在の呼び出しリンク品質統計情報が報告される。
【００６２】
図１に示すように、ローカルスイッチングモードにおいて、基地局が、従来型のスイッチングモードへ現在の呼び出しが移行することを検出した場合、基地局は、検出された現在の呼び出しのリンク品質統計情報を、確立されたＲＴＣＰリンクを介して、基地局コントローラに送信する。
【００６３】
図６は、本発明に係る拡張された測定結果メッセージにおけるリンク測定情報ユニットの第１実施形態の内容を示す図である。
図６において、
Ｅｌｅｍｅｎｔ  ｉｄｅｎｔｉｆｉｅｒフィールドは、この情報ユニットの識別子を表す。
Ｌｅｎｇｔｈフィールドは、この情報ユニットの長さを表す。
Ｌｉｎｋ  Ｑｕａｌｉｔｙ  フィールドは、リンク品質を表す。
Ｔｉｍｅ  Ｄｅｌａｙフィールドは、時間遅延値を表す。
Ｌｉｎｋ  ＱｏＳフィールドは、リンクＱｏＳ値を表す。
Ｓｕｐｐｌｅｍｅｎｔａｒｙ  Ｍｅａｓｕｒｅｍｅｎｔ  ｉｎｆｏｒｍａｔｉｏｎは、補充情報を表す。
【００６４】
ローカルスイッチングモードにおいて、基地局は、拡張された測定結果メッセージのリンク測定情報ユニット内に含められる、検出された呼び出しリンク品質統計情報をエンコードし、拡張された測定結果メッセージを基地局コントローラに伝送する。
【００６５】
図７は、本発明に係るシステムの第１実施形態のブロック図である。このシステムは、基地局と、基地局コントローラとを含む。
【００６６】
基地局は、予め設定されたメッセージに含められる、検出された呼び出しリンク品質統計情報をエンコードし、Ａｂｉｓインターフェースを介して、メッセージを基地局コントローラに送信する。
【００６７】
基地局コントローラは、受信された前記予め設定されたメッセージを解析し、解析により取得された前記呼び出しリンク品質統計情報を報告する。
【００６８】
図８は、本発明に係るシステムの第２実施形態のブロック図である。このシステムは、基地局と、基地局コントローラとを含む。基地局は、リンク検出モジュール１００、スイッチモジュール２００、及びエンコードモジュール３００を含み、基地局コントローラは、デコードモジュール４００、及び報告モジュール５００を含む。
【００６９】
リンク検出モジュール１００は、前記呼び出しリンク品質統計情報を検出し、前記スイッチモジュール２００に送信する。
【００７０】
スイッチモジュール２００は、スイッチングモード識別子がローカルスイッチングである場合、前記呼び出しリンク品質統計情報を前記エンコードモジュール３００に送信する。あるいは、スイッチモジュール２００は、スイッチングモード識別子が従来型スイッチングである場合、前記呼び出しリンク品質統計情報をＲＴＣＰリンクを介して前記報告モジュール５００に送信する。
【００７１】
エンコードモジュール３００は、拡張された測定結果メッセージ内に含められる、受信された前記呼び出しリンク品質統計情報をエンコードし、前記拡張された測定結果メッセージを前記基地局コントローラのデコードモジュール４００に送信する。
【００７２】
デコードモジュール４００は、受信された前記拡張された測定結果メッセージを解析し、解析により取得された前記呼び出しリンク品質統計情報を前記報告モジュール５００に送信する。
【００７３】
報告モジュール５００は、受信された前記呼び出しリンク品質統計情報を報告する。
【００７４】
図９は、図８に示すシステムが従来型のスイッチングモードからローカルスイッチングモードへ移行した後の呼び出しリンク品質統計情報のプロセスを示す図である。本実施形態において、呼び出しリンク品質統計情報は、拡張された測定結果メッセージを介して、基地局コントローラに報告される。
【００７５】
図１０は、図８に示すシステムがローカルスイッチングモードから従来型のスイッチングモードへ移行した後の呼び出しリンク品質統計情報のプロセスを示す図である。本実施形態において、呼び出しリンク品質統計情報は、ＲＴＣＰリンクを介して、基地局コントローラに報告される。
【００７６】
本発明は、パーソナルハンディホンシステム（ＰＨＳ：Ｐｅｒｓｏｎａｌ  Ｈａｎｄｙ  Ｐｈｏｎｅ  Ｓｙｓｔｅｍ）、符号分割多重接続（ＣＤＭＡ：Ｃｏｄｅ  Ｄｉｖｉｓｉｏｎ  Ｍｕｌｔｉｐｌｅ  Ａｃｃｅｓｓ）、第３世代（３Ｇ：３ｒｄ−ｇｅｎｅｒａｔｉｏｎ）等の移動通信システムに適用することができる。
【００７７】
以上は、本発明の好ましい実施形態に過ぎず、本発明の特許請求の範囲を限定するものではない。本発明の明細書及び図面に基づいて作成された均等構造、均等プロセス変換、又は、直接的若しくは間接的に他の関連技術分野に転用された均等構造、若しくは均等プロセス変換は、全て本発明の特許請求の範囲に含まれる。
【図１】
0005420772.tif 000002
【図２】
0005420772.tif 000003
【図３】
0005420772.tif 000004
【図４】
0005420772.tif 000005
【図５】
0005420772.tif 000006
【図６】
0005420772.tif 000007
【図７】
0005420772.tif 000008
【図８】
0005420772.tif 000009
【図９】
0005420772.tif 000010
【図１０】
0005420772.tif 000011